(57)【要約】      （修正有）【課題】光照射が遮断されても酸化分解活性が損なわれない光触媒を利用した汚染物質無害化処理用布帛を提供する。【解決手段】汚染物質無害化処理用布帛は、表面に塗布した接着層を介して酸化還元能を有する触媒微粒子を含む薄層を設けてなる繊維１によって構成された布帛であって、該触媒微粒子が径３０ｎｍ〜５００ｎｍの白金含有二酸化チタン凝集体であることを特徴とするもので、雰囲気浄化用布帛、又は汚染防止用布帛として利用できる。【選択図】図１
0003141913.tif 000002
【実用新案登録請求の範囲】
【請求項１】
表面に塗布した接着層を介して酸化還元能を有する触媒微粒子を含む薄層を設けてなる繊維によって構成された布帛であって、該触媒微粒子が径30nm〜500nmの白金含有二酸化チタン凝集体であることを特徴とする、汚染物質無害化処理用布帛。
【請求項２】
屋内壁面内装材の形態、室内可動間仕切材の形態又はカーテンの形態に形成された、雰囲気浄化用の布帛、又は汚染防止用の布帛である、請求項１に記載の汚染物質無害化処理用布帛。
【請求項３】
単層又は複数層の、多角形態に形成された、物品清拭用の布帛である、請求項１に記載の汚染物質無害化処理用布帛。
【請求項４】
靴の中敷き、ぬいぐるみ、ヘルメット内側、衣類、寝具関係、造花の形態に形成された消臭用の布帛、又は殺菌用の布帛である、請求項１に記載の汚染物質無害化処理用布帛。
【考案の詳細な説明】
【技術分野】
【０００１】
本考案は酸化還元能を有する触媒微粒子を担持した布帛に関し、特に雰囲気中に含まれる臭気成分や、浮遊する花粉、細菌、又は汚染物質などを捕捉して分解除去することができる、汚染防止用、雰囲気浄化用、或いは物品清拭用として利用できる布帛に関する。
【背景技術】
【０００２】
従来から室内壁面や衣服などに付着した、タバコや調理食品などの臭いを消すために、液状の消臭剤を噴霧することが行われており、又一方では消臭機能を付与した繊維を用いた布帛により、衣服や建物内装品を製作することも行われている。また近時は、SOxやNOxなどの大気汚染物質や飛散花粉によるアレルギー発症の問題に加えて、シックハウス症の原因物質や種々の感染症に係るウイルスや細菌などを、効率的に排除したいとする問題も加わり、これらの有害物質を除去するか又は無害化するために、光活性の酸化還元触媒を利用する提案がなされるに至っている。
【０００３】
ところで、これら従来技術で提案されている光触媒としては、二酸化チタンなどの酸化物半導体や化合物半導体、或いはこれらの半導体と金属粉末とを組み合わせたものが多数あり、更にこれらの光触媒と、処理の対象物を吸着するセラミックスや炭素等の粉末とを組み合わせた無害化処理剤も、種々提案されている。しかしこれらの光活性の酸化還元触媒は、太陽光が遮断されると酸化分解作用が停止するという弱点があり、こうした弱点を改良した有害物質の無害化処理剤が、望まれていた。
【考案の開示】
【考案が解決しようとする課題】
【０００４】
このような事情の下で考案者が、光照射が遮断されても酸化分解活性が損なわれない光触媒を探索したところ、コロイド状の白金を含む二酸化チタン触媒が利用できることを見出した。そこで、この性能の優れた光触媒を繊維上に結合させることで、汚染物質の分解効率が高い雰囲気浄化用布帛、又は汚染防止用布帛として利用できる、無害化処理用布帛を提供することを、本考案の目的とした。
【課題を解決するための手段】
【０００５】
上記の本考案の目的を達成することができる汚染物質無害化処理用布帛は、表面に塗布した接着層を介して酸化還元能を有する触媒微粒子を含む薄層を設けてなる繊維によって構成された布帛であって、該触媒微粒子が径30nm〜500nmの白金含有二酸化チタン凝集体であることを特徴とするものである。
【０００６】
そして、上記の本考案の汚染物質無害化処理用布帛は、雰囲気浄化用の布帛、汚染防止用の布帛、又は物品清拭用の布帛などとして、それぞれ利用する目的に応じた使用方法に適した形態に、適宜に加工して利用することができ、使用形態や使用方法は特に限定されるものではない。
例えば、汚染物質無害化処理用布帛を用いた製品として、靴の中敷き、ぬいぐるみ、ヘルメット内側、衣類、寝具関係、造花の形態に形成された消臭用の布帛、又は殺菌用の布帛として利用されることを特徴とする。
【考案の効果】
【０００７】
上記のような本考案の布帛は、それを構成している繊維の表面に、白金含有二酸化チタン光触媒の径30nm〜500nmの微粒子を結合させてあるもので、光を取り入れ易い明るい環境では、太陽光や紫外線などの高エネルギーレベルの放射線を受けると、二酸化チタン触媒が励起され、更にこれと接触する空気中の酸素が触媒に吸着して活性化酸素となる。そして、このように活性化状態にある本考案の布帛が、汚染性物質を含有する雰囲気と接触すると、布帛を構成する繊維に汚染性物質が吸着され、光触媒上の活性化酸素と反応して酸化分解される。
【０００８】
上記のような本考案の布帛による汚染性物質の酸化分解作用は、太陽光や紫外線などの放射線に暴露される環境では、被酸化物質が雰囲気中に拡散しているか、又は布帛上に付着或いは堆積しているか等の存在状態には関係なく、有効に継続される筈であるが、放射線などによる励起エネルギーの供給が停止すると、それまで布帛上に蓄積されていた活性化酸素が消費されると共に、酸化分解作用が徐々に弱くなり、遂には停止するに至る。しかし、こうした酸化分解作用の弱化の原因は、活性化酸素が消費されることと並んで、被酸化物質の消費が進んで残量が乏しくなることも、同じく酸化分解作用の弱化の原因となるからで、再び太陽光や紫外線などの放射線に照射されると、活性化酸素の生成と汚染性物質の酸化分解が始まり、本来の酸化分解能力が発揮される。従って、本考案の布帛を使用するに当たっては、布帛中に含まれている光触媒の能力を、活性化酸素の蓄積容量と合わせて評価しておくことが重要である。
【考案を実施するための最良の形態】
【０００９】
以下、本考案の布帛を図に基づいて説明するが、図１は、本考案の布帛を構成する繊維１の表面と、その縦断面とを説明する図である。図に示す繊維１は、例えば、単繊維を縒り合わせ、或いは適宜の長さに切断した短繊維を紡糸した糸等を用いて、織成或いは編成してなる各種の織布又は各種の編布、更に短繊維や長繊維を鉤針刺し又は点接着などして得た不織布などの、種々の布帛の構成材料となるものである。
【００１０】
図１における２は、繊維１の表面に、例えば厚さが10nm程度となるように、例えば揮発性溶剤で希釈された液状バインダー塗料を、例えばスプレー塗装手法によって塗布されたバインダー層であって、繊維１の表面と光触媒層３とを結合する機能を備えているものである。そして上記光触媒層３は、径30nm〜500nm程度の凝集粒子状白金含有二酸化チタン光触媒３ａを、例えば径20nm〜100nmの微粒子状珪酸系粉末充填材中に、分散して含ませたうえ、少量の合成樹脂系結合材を含み、且つ例えば揮発性溶剤で希釈された液状の触媒塗料を、前記のバインダー層２の上に、例えばスプレー塗装手法によって塗布して、揮発性溶剤を除去すると共に、バインダー層２上に固着させてなるものである。
【００１１】
本考案の布帛は、上記のような白金含有二酸化チタン光触媒３ａを含んだ光触媒層３を設けた繊維で構成されたものであるが、光触媒層３を設けた繊維を紡いだ糸で布帛を製造することは勿論、紡いだ糸に光触媒層３を設ける処理を加えた後に布帛を製造してもよく、或いは既成の布帛に光触媒層３を設ける処理を加えるか、又は既成の布帛を縫製した製品に光触媒層３を設ける処理を加えて、本考案の布帛とすることもできる。
【産業上の利用可能性】
【００１２】
本考案の布帛は、上述のように、布帛を構成する繊維の表面に接着層を介して酸化還元能を有する触媒微粒子を含む薄層を設けた構造を備えているもので、該触媒微粒子が径30nm〜500nmの白金含有二酸化チタン凝集体の光触媒であるから、空気と接触でき、且つ太陽光や紫外線などの放射線に照射される環境において使用されるならば、本考案の布帛と接触して吸着され得る汚染性物質は、酸化分解反応による処理の対象となる限り、雰囲気浄化用、汚染防止用などに限定されることなく、広範囲の汚染浄化等に利用することができる。
【００１３】
特に、靴の中敷き、ぬいぐるみ、ヘルメット内側、衣類、寝具関係、造花などに応用することによって、消臭効果や殺菌効果を高めることが期待できる。
【図面の簡単な説明】
【００１４】
【図１】本考案の布帛を構成する繊維の構造を示す一部切り欠き側面図である。
【符号の説明】
【００１５】
１        繊維
２        バインダー層
３        光触媒層
３ａ      白金含有二酸化チタン光触媒
【図１】
0003141913.tif 000003